(57)【要約】      （修正有）【課題】電池の消耗程度に適切に対応して電池の残電力を使い切ることができる印刷装置を提供する。【解決手段】印字ラベル作成装置は、印字データに応じて、サーマルヘッド２３の複数の発熱素子のうち少なくとも１つを通電するサーマルヘッド制御回路２１７と、テープ送りローラ駆動軸の駆動を制御するモータ駆動回路２１６と、それらに電力を供給する円筒形の電池を収納する電池収納部と、電池の出力電圧値を検出可能なＡ／Ｄ入力回路２１９とを、有し、検出した出力電圧値を用いて電池の消耗程度を判定し、この消耗程度に基づいて、印字形成の態様を変更する。【選択図】図４
2016182708.tif 000002
【特許請求の範囲】
【請求項１】
被印刷物を搬送する搬送手段と、
通電されて発熱する複数の発熱素子を備えた印字手段と、
を有する印刷装置であって、
印字データに応じて、前記印字手段の前記複数の発熱素子のうち少なくとも１つを通電する通電手段と、
前記搬送手段の駆動を制御する駆動手段と、
前記通電手段及び前記駆動手段に電力を供給する電池を収納する電池収納部と、
前記電池の出力電圧値を検出可能な電圧検出手段と、
前記搬送手段により搬送される前記被印刷物に対し、前記印字データに対応した印字を形成するように、前記駆動手段及び前記通電手段を連携して制御する連携制御手段と、
前記電圧検出手段が検出した出力電圧値を用いて前記電池の消耗程度を判定する消耗判定手段と、
前記消耗判定手段が判定した前記消耗程度に基づいて、前記連携制御手段の制御に基づく前記印字形成の態様を変更する印字態様変更手段と、
を有することを特徴とする印刷装置。
【請求項２】
請求項１記載の印刷装置において、
前記消耗判定手段は、
前記連携制御手段の制御に基づく印字形成中において前記電圧検出手段が検出した出力電圧値を用いて前記電池の消耗程度を判定する
ことを特徴とする印刷装置。
【請求項３】
請求項１又は２記載の印刷装置において、
前記電圧検出手段が検出した出力電圧値を用いて前記電池の種別を判定する種別判定手段を有し、
前記印字態様変更手段は、
前記消耗判定手段が判定した前記消耗程度と、前記種別判定手段が判定した前記種別に基づいて、前記印字形成の態様を変更する
ことを特徴とする印刷装置。
【請求項４】
請求項１乃至３のいずれか１項に記載の印刷装置において、
前記印字態様変更手段は、
前記印字形成の態様として、印字サイズ、英字の大文字・小文字、フォント種類の少なくとも１つを変更する
ことを特徴とする印刷装置。
【請求項５】
請求項１乃至４のいずれか１項に記載の印刷装置において、
前記搬送手段は、
前記被印刷物としてラベル用被印字テープを搬送し、
前記印字手段は、
前記搬送手段により搬送される前記ラベル用被印字テープに所望の印刷を行い、前記印刷物としての印字ラベルを作成する
ことを特徴とする印刷装置。
【発明の詳細な説明】
【技術分野】
【０００１】
本発明は、電池により駆動される印刷装置に関する。
【背景技術】
【０００２】
従来、例えば使用者が手軽に使用できるように、電池を用いて動作する印刷装置が既に提唱されている。このような印刷装置において、複数種類の電池が適宜交換して用いられる場合がある。その場合、電池の種別や品質によって電力の給電特性が異なるので、印刷装置の円滑な動作のためには、使用される電池に応じた動作設定を行う必要がある。操作者がその都度手動にて電池種別を入力する場合、操作負担が煩わしく、また誤入力の可能性もある。したがって、印刷装置側で自動的に電池の給電特性を見分けることが好ましい。
【０００３】
上記の点に着目した従来技術として、例えば特許文献１に記載の技術がある。この従来技術では、過去の印刷処理時において算出された最大の電池電圧降下量に基づいて今回の印刷処理時における最大の電池電圧降下量を予め予測し、今回の印刷処理が可能か否かを判定していた。
【先行技術文献】
【特許文献】
【０００４】
【特許文献１】特開２００６−１５９８２４号公報
【発明の概要】
【発明が解決しようとする課題】
【０００５】
一般的に、電池残量は印刷処理を繰り返すことで長期的にその消耗程度が緩やかに進み、さらに印刷処理中の負荷時の間だけ一時的に電池電圧が降下する。これに対し上記従来技術では、予測される最大電池電圧降下時の電圧だけで印刷処理の可否を判定するだけであった。このため、印字データ中の１文字分だけが極端に負荷が大きい場合でも電池残量を無駄に多く残したまま全体の印刷処理が不可能であると報知される可能性があり、電池残量の有効利用という点で改善する余地があった。
【０００６】
本発明の目的は、電池の消耗程度に適切に対応して電池の残電力を使い切ることができる、印刷装置を提供することにある。
【課題を解決するための手段】
【０００７】
上記目的を達成するために、第１の発明は、被印刷物を搬送する搬送手段と、通電されて発熱する複数の発熱素子を備えた印字手段と、を有する印刷装置であって、印字データに応じて、前記印字手段の前記複数の発熱素子のうち少なくとも１つを通電する通電手段と、前記搬送手段の駆動を制御する駆動手段と、前記通電手段及び前記駆動手段に電力を供給する電池を収納する電池収納部と、前記電池の出力電圧値を検出可能な電圧検出手段と、前記搬送手段により搬送される前記被印刷物に対し、前記印字データに対応した印字を形成するように、前記駆動手段及び前記通電手段を連携して制御する連携制御手段と、前記電圧検出手段が検出した出力電圧値を用いて前記電池の消耗程度を判定する消耗判定手段と、前記消耗判定手段が判定した前記消耗程度に基づいて、前記連携制御手段の制御に基づく前記印字形成の態様を変更する印字態様変更手段と、を有することを特徴とする。
【０００８】
本願第１発明の印字装置は、搬送手段と、印字手段と、印字手段の少なくとも１つの発熱素子を通電する通電手段と、搬送手段の駆動を制御する駆動手段と、電池収納部とを有する。被印刷物に対し印字手段の発熱素子により印字データに対応した所望の印字が行われる。電池収納部には電池が収納され、上記通電手段及び駆動手段への電力供給は、上記電池によって行われる。このように電池を用いる場合、複数種類の電池が適宜交換して用いられる場合がある。その場合、電池の種別や品質によって電力の給電特性が異なるので、印刷装置の円滑な動作のためには、使用される電池に応じた動作設定を行う必要がある。操作者がその都度手動にて電池種別を入力する場合、操作負担が煩わしく、また誤入力の可能性もある。したがって、印刷装置側で自動的に給電特性を見分けることが好ましい。
【０００９】
一般的に、電池残量は印刷処理を繰り返すことで長期的にその消耗程度が緩やかに進み、さらに印刷処理中には印字手段の発熱素子を通電した負荷時の間だけ一時的に電池電圧が降下する。しかし、この通電時の電圧が所定のしきい値電圧を下回った場合には、その通電時の印字にかすれ等の印刷異常が生じてしまう。したがって、所望する印字データを印刷する際には、事前にその印刷処理の実行中における通電時の電圧降下量も含めた電池の消耗程度を正確に把握し、管理する必要がある。しかしこの場合には、印字データ中の１文字分だけが極端に負荷が大きい場合でも電池残量を無駄に多く残したまま全体の印刷処理が不可能であると報知される可能性があり、電池残量の有効利用という点で改善する余地があった。
【００１０】
そこで本実施形態では、消耗判定手段が電池の消耗程度を判定し、この消耗程度に基づいて印字態様変更手段が印字形成の態様を変更する。つまり、印字データ中のテキスト文字については、印字内容の文字の意味合いを実質的に変えることなくその印字態様を変更することで、印刷処理中の負荷時における一時的な電池電圧降下量を低減できる場合がある。このため本実施形態では、消耗判定手段で判定した電池の消耗程度に応じて印字態様変更手段が電圧降下量の少ない印字態様に変更することで、印刷異常の発生をできるだけ抑えることができる。すなわち、一時的な電池電圧降下量を抑えて、電池残量に相当する電圧が上記所定のしきい値電圧に近づくまで印刷処理を繰り返し行うことができる。以上の結果、電池の消耗程度に適切に対応して電池の残電力を使い切ることができる。
【発明の効果】
【００１１】
本発明によれば、動作環境が変動した場合でも電池の消耗程度に適切に対応して電池の残電力を使い切ることができる。
【図面の簡単な説明】
【００１２】
【図１】印字ラベル作成装置を斜め上方向から見た外観を表す斜視図である。
【図２】下カバーを開放した状態の印字ラベル作成装置を斜め下方向から見た外観を表す斜視図である。
【図３】カートリッジの内部構造を模式的に表す拡大平面である。
【図４】印字ラベル作成装置の制御系を表す機能ブロック図である。
【図５】１枚の印字ラベルを作成するときの電池電圧の変動挙動を説明する概念図である。
【図６】３種類の電池それぞれのフィード電圧の変動特性を示す図である。
【図７】液晶表示部による電池の消耗状況の表示例を表す図である。
【図８】電池の種別と消耗程度に対応した印字態様が設定されている印字態様テーブルを概念的に表す図である。
【図９】ＣＰＵによって実行される制御手順を表すフローチャートである。
【図１０】図９中の印刷処理の詳細な制御手順を表すフローチャートである。
【発明を実施するための形態】
【００１３】
以下、本発明の一実施の形態を図面を参照しつつ説明する。
【００１４】
本実施形態は、本発明を印刷装置としての印字ラベル作成装置１に適用したものである。この印字ラベル作成装置１は、所望の印字を行った印字済みラベル用テープを所定の長さに切断することにより、印刷物としての印字ラベルＬを作成する。
【００１５】
まず、この印字ラベル作成装置１の概略構成について図１を用いて説明する。なお、本実施形態において印字ラベル作成装置１の前・後・左・右・上・下というときは、図１及び図２等に示す方向を指すものである。
【００１６】
図１及び図２に示すように、印字ラベル作成装置１の筐体２は、装置下面を構成する下カバー１５と、装置側面を構成する横カバー１６と、装置上面を構成する上カバー１７とにより構成されている。上カバー１７には、前方向から後方向に向けて、文字入力等の種々の操作が行われるキーボード３、電源スイッチや印刷キー等の印字ラベル作成装置１の各種機能を実行させるための機能キー群４、及び入力した文字や記号等を表示するための液晶ディスプレイ５が設けられている。また横カバー１６の右側後方には、印刷された印刷済ラベル用テープ１０９（図３参照）をカットするためのカッターレバー７が設けられている。
【００１７】
印字ラベル作成装置１の下側後方には、カートリッジ８を着脱可能なカートリッジホルダ９が設けられている。このカートリッジホルダ９は、印字ラベル作成装置１の前端部を回転軸として開閉可能に構成された下カバー１５を閉じると覆われ、下カバー１５を開放すると露出されるようになっている。
【００１８】
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅であり、本実施形態の被印刷物を構成する透明なカバーフィルム１０３（ラベル用被印字テープ）が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール１１１と、印字後のリボン１０５を巻取るリボン巻取りローラ１０６と、カートリッジ７のテープ排出部の近傍に回転可能に支持されたテープ送りローラ２７とを有する。
【００１９】
テープ送りローラ２７は、上記基材テープ１０１と上記カバーフィルム１０３とを押圧し接着させ上記印字済みラベル用テープ１０９としつつ、図３中矢印Ａで示す方向にテープ送りを行う（圧着ローラとしても機能する）。
【００２０】
第１ロール１０２は、リール部材１０２ａの周りに上記基材テープ１０１を巻回している。基材テープ１０１はこの例では４層構造となっており、詳細な図示を省略するが、内側に巻かれる側よりその反対側へ向かって、適宜の粘着剤からなる貼り合わせ用粘着層、ＰＥＴ（ポリエチレンテレフタラート）等から成る色付きのベースフィルム、適宜の粘着剤からなる貼り付け用粘着層、剥離紙の順序で積層され構成されている。
【００２１】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段）に押圧されて当接させられる。
【００２２】
このとき、上記のカートリッジ８の構成に対応して、カートリッジホルダ９には、上記使用済みのインクリボン１０５を巻き取るためのリボン巻き取り軸１０７と、印字済みラベル用テープ１０９を搬送するためのテープ送りローラ２７（後述の図３参照）を駆動するためのテープ送りローラ駆動軸１０８（搬送手段）とが設けられている。またカートリッジホルダ９には、カバーフィルム１０３に所望の印刷を行うサーマルヘッド２３が、カートリッジ８の装着時にその上記開口部１４に位置するように設けられている。
【００２３】
リボン巻取りローラ１０６及びテープ送りローラ２７は、それぞれカートリッジ７外に設けた例えばパルスモータである駆動モータ（後述の図４参照）の駆動力が図示しないギヤ機構を介し上記リボン巻取りローラ駆動軸１０７及び上記テープ送りローラ駆動軸１０８に伝達されることによって連動して回転駆動される。
【００２４】
上記構成において、カートリッジ７が上記カートリッジホルダ６に装着されロールホルダが上記リリース位置から上記印字位置に移動されると、カバーフィルム１０３及びインクリボン１０５が、上記サーマルヘッド２３と、このサーマルヘッド２３に対向して設けたプラテンローラ２６との間に狭持される。これとともに、基材テープ１０１及びカバーフィルム１０３が、テープ送りローラ２７と、テープ送りローラ２７に対向して設けた圧着ローラ２８との間に狭持される。そして、上記駆動モータの駆動力によってリボン巻取りローラ１０６及びテープ送りローラ２７が図３中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、サーマルヘッド制御回路（後述の図４参照）によりサーマルヘッド２３に設けられた複数の発熱素子が通電され、発熱する。このとき、カバーフィルム１０３の裏面側（すなわち上記基材テープと接着される側）には、リボン巻取りローラ１０６により駆動されるインクリボン１０５が、上記印字ヘッド２３に押圧されて当接させられる。この結果、カバーフィルム１０３の裏面に、所望の印字内容の印字データに対応した印字が印刷される。そして、上記基材テープ１０１と上記印刷が終了したカバーフィルム１０３とが上記テープ送りローラ２７及び圧着ローラ２８の押圧により上記貼り合わせ用粘着層により接着されて一体化されて印字済みラベル用テープ１０９として形成され、カートリッジ８外へと排出される。カバーフィルム１０３への印字が終了したインクリボン１０５は、リボン巻取りローラ駆動軸１０７の駆動によりリボン巻取りローラ１０６に巻取られる。カートリッジ８外へ排出された印字済みラベル用テープ１０９の搬送経路の下流側には、固定刃４０と可動刃４１を備えた切断機構４２が設けられている。上記カッターレバー７が操作されることにより可動刃４１が動作し、上記印字済みラベル用テープ１０９の全体が切断され、印字ラベルＬが生成される。
【００２５】
なお、図２に示すように、印字ラベル作成装置１の下側後方には、カートリッジホルダ９に隣接して、例えばアルカリ電池またはニッケル水素電池等の、外形が同一で電力の給電特性が異なる各種の円筒形の円筒形の電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００２６】
次に、図４を用いて、印字ラベル作成装置１の制御系について説明する。
【００２７】
図４において、印字ラベル作成装置１は、所定の演算を行う演算部を構成するＣＰＵ２１２を有している。
【００２８】
ＣＰＵ２１２は、ＲＡＭ２１３の一時記憶機能を利用しつつＲＯＭ２１４に予め記憶されたプログラムに従って信号処理を行い、それによって印字ラベル作成装置１全体の制御を行う。
【００２９】
またＣＰＵ２１２は、ＡＣアダプタ２２０に接続され印字ラベル作成装置１の電源のオン・オフ処理を行う電源回路２１５と、上記プラテンローラ２６を駆動する駆動モータ２１１の駆動制御を行うモータ駆動回路２１６（駆動手段）と、上記サーマルヘッド２３の発熱素子の通電制御を行うサーマルヘッド制御回路２１７（通電手段）とに接続されている。
【００３０】
このとき、ＣＰＵ２１２には、電池ＢＴの出力電圧値を測定（検出）するためのＡ／Ｄ入力回路２１９（電圧検出手段）が設けられている。このＡ／Ｄ入力回路２１９には、電池ＢＴが接続されている。そして本実施形態では、電池ＢＴの交換時に満充電状態の新しい電池ＢＴが装着されたものと検知した場合には、電池残量の管理を改めるバッテリリセットを行う。
【００３１】
さらに、ＣＰＵ２１２には、上記液晶ディスプレイ５と、ＲＯＭ２１４と、ＲＡＭ２１３とが接続されている。また、ＲＯＭ２１４には、電池ＢＴの消耗状況の判定、種別の判定、及び印字形態の変更等の手順（後述の図９、図１０等に示す各手順）を実行するための制御プログラムや、電池ＢＴの消耗状況を判定するために使用するバッテリー残量しきい値（詳細は後述）等が記憶されている。
【００３２】
以上の基本構成において、本実施形態の特徴は、電池ＢＴの出力電圧値の挙動に基づいて電池ＢＴの消耗程度を検出し、それに応じて電池残量を使い切ることができるよう印字データの印字形態を変更することにある。以下、順を追って本実施形態の変更手法について説明する。
【００３３】
すなわち、前述の電池収納部７０において複数種類の電池ＢＴが適宜交換して用いられる場合がある。その場合、電池ＢＴの種別や品質によって電力の給電特性が異なるので、印字ラベル作成装置１の円滑な動作のためには、使用される電池ＢＴに応じた動作設定を行う必要がある。操作者がその都度手動にて電池ＢＴの種別を入力する場合、操作負担が煩わしく、また誤入力の可能性もある。したがって、印字ラベル作成装置１側で自動的に電池ＢＴの給電特性を見分けることが好ましい。
【００３４】
ここで、電池ＢＴを駆動源として動作する本実施形態の印字ラベル作成装置１においては、１つの印字ラベルＬの生成動作中において、電池ＢＴの出力電圧値が変化する。すなわち、図５に示すように、テープ送りローラ駆動軸１０８によるテープ搬送もサーマルヘッド２３による印字も行われない状態（スタンバイ状態）では、電池ＢＴの出力電圧は比較的高いスタンバイ電圧Ｖｓとなる。印字ラベルＬの作成が開始されると、まずテープ送りローラ駆動軸１０８が駆動されてカバーフィルム１０３等のテープ搬送が行われる（フィード状態）。この搬送負荷によって、電池ＢＴの出力電圧はやや下がってフィード電圧Ｖｆとなる。この状態は、印字ラベルＬ作成時に所望の印字Ｒ（この例では「ＡＢＣ」）を形成する領域として設定される印字領域Ｓのうち、実際にサーマルヘッド２３の複数の発熱素子が通電され印字が開始されるより前の領域（前余白）に当該サーマルヘッド２３が対向しているタイミングの間は、継続される。
【００３５】
そして、さらに搬送が進むと、サーマルヘッド２３の複数の発熱素子が通電され、印字データに基づく所望の図像や文字の印字が開始される。この例ではまずテキストのアルファベット文字「Ａ」が印字される。このように図像や文字の印字が行われるときの電池ＢＴの出力電圧、すなわち印字時電圧は、印字する文字の態様に対応してフィード電圧Ｖｆから一時的に低下するよう変動する。すなわち、搬送方向に直交する方向（図５中上下方向）に沿って複数配列された発熱素子のうち通電される発熱素子の数が多いタイミングでは比較的に負荷が大きくなるので、印字時電圧は比較的低くなる（例えば、図５中（ア）参照）。逆に、通電される発熱素子の数が少ないタイミングでは負荷が小さくなるので、印字時電圧は比較的高くなる（例えば、図５中（イ）参照）。
【００３６】
なお、上記のように印字領域Ｓへ印字開始した後であっても、細かく見ると、１つのテキスト文字の印字が終了した後、隣接する次のテキスト文字の印字開始までの領域（文字間余白）にサーマルヘッド２３が対向している間は、サーマルヘッド２３の発熱素子が通電されない非印字状態となる。図５の例ではアルファベット文字「Ａ」と「Ｂ」との間の文字間余白、アルファベット文字「Ｂ」と「Ｃ」との間の文字間余白にサーマルヘッド２３が対向しているタイミングが、この状態に該当する。このタイミングでは、電池ＢＴの出力電圧は再び上昇して、上記前余白のタイミングと同様のフィード電圧Ｖｆとなる。文字間余白が終了してサーマルヘッド２３による次の文字の印字が開始されるタイミングとなると、再び電池ＢＴの出力電圧はフィード電圧Ｖｆより低い印字時電圧となる。
【００３７】
そして、すべての図像や文字の印字が終了した後（上記の例ではアルファベット文字「Ｃ」の印字が終了した後）は、印字領域Ｓ内であってもサーマルヘッド２３の複数の発熱素子の通電が停止され印字が行われない領域（後余白）となり、当該領域にサーマルヘッド２３が対向しているタイミングの間は、上記同様、電池ＢＴの出力電圧は再び上記フィード電圧Ｖｆとなる。この状態は、印字ラベルＬの作成が終了し上記テープ送りローラ駆動軸１０８の駆動によるカバーフィルム１０３等のテープ搬送が終了するまで、継続される。
【００３８】
そして、上記のような出力電圧値の変化幅（以下、電圧降下量という）は、上記サーマルヘッド２３における発熱素子の同時通電数にほぼ比例し、また電池ＢＴの種別や品質等の要因によっても変動しうる。また、上記印刷処理中における発熱素子の通電時に最低限必要とされる印字時電圧をバッテリーウィークしきい値電圧Ｖｂｗ（図中ではＢＷしきい値電圧Ｖｂｗと略記）として固定的に設定されている。
【００３９】
また図６は、品質の低い粗悪アルカリ電池、品質の高いアルカリ電池、及びニッケル水素電池の３種類の電池ＢＴそれぞれのフィード電圧Ｖｆの変動特性を示しており、横軸は印刷枚数（印字形成回数）に対応する。この図６において、粗悪アルカリ電池の場合は印刷枚数の増加に対して早くフィード電圧Ｖｆが低下していくが、これと比較してアルカリ電池の場合はフィード電圧Ｖｆの低下が遅く、つまり電池残量が比較的長く持つ。ニッケル水素電池は他のアルカリ電池と比較して中位レベルの電圧を長く維持し、結果的に最もフィード電圧Ｖｆの低下が遅くなってより多くの回数で印刷処理を実行できる。このように、印刷処理を繰り返すことで電池ＢＴの消耗程度が進んで上記フィード電圧Ｖｆも次第に低下するため、同じ電池ＢＴを用いて同じ印字データを印字する場合でも対応する最低印字時電圧が経時的に低下していく。
【００４０】
以上のように、電池残量は印刷処理を繰り返すことで長期的にその消耗程度が緩やかに進み、さらに印刷処理中にはサーマルヘッド２３の発熱素子を通電した負荷時の間だけ一時的に電池電圧が降下する。しかし、この通電時の電圧がバッテリーウィークしきい値電圧Ｖｂｗを下回った場合には、その通電時の印字にかすれ等の印刷異常が生じてしまう。したがって、所望する印字データを印刷する際には、事前にその印刷処理の実行中における通電時の電圧降下量も含めた電池ＢＴの消耗程度を正確に把握し、管理する必要がある。しかしこの場合には、印字データ中の１文字分だけが極端に負荷が大きい場合でも電池残量を無駄に多く残したまま全体の印刷処理が不可能であると報知される可能性があり、電池残量の有効利用という点で改善する余地があった。
【００４１】
そこで本実施形態では、個々の印字ラベルＬの作成毎に電池ＢＴの消耗程度を判定し、その消耗程度に基づいて次の印字ラベルＬの作成時における印字形成の態様を変更する。上述したように、印字形成中におけるサーマルヘッド２３の発熱素子の同時通電数とは、カバーフィルムの搬送方向において印字解像度に区分してなる各印字ライン上でのドットの形成数である。つまり、印字内容のドットパターンにおいて、テープ幅方向に連続するドット数が最も多い印字ラインで最大同時通電数となり、この通電時における電圧降下量が最大となる。このため、最大同時通電数（最大電圧降下量）を削減するには、例えば印字データに含まれる文字のフォントスタイル（フォント種別）を斜体化（及び細字化）するか、当該文字が英字である場合に小文字化するか、又は当該文字の印字サイズを縮小化することが有効である。このように、印字データ中のテキスト文字については、印字内容の文字の意味合いを実質的に変えることなくその印字態様（印字形成の態様）を変更することで、印刷処理中の負荷時における一時的な電池電圧降下量を低減できる。
【００４２】
ここで、図６に示す各種別の電池ＢＴにおいて満充電状態から放電状態までの電池残量の状態を大、中、小の３段階で区分できるよう、図示するように各種別ごとに電池残量しきい値Ｉ、ＩＩを設定する。つまり、フィード電圧Ｖｆが電池残量しきい値Ｉ以上である場合は、使用中の電池ＢＴの電池残量を「大」とみなす。また、フィード電圧Ｖｆが電池残量しきい値Ｉより低く電池残量しきい値ＩＩ以上である場合は、使用中の電池ＢＴの電池残量を「中」とみなす。また、フィード電圧Ｖｆが電池残量しきい値ＩＩより低い場合は、使用中の電池ＢＴの電池残量を「小」とみなす。
【００４３】
そして図６に示すように、電池残量しきい値Ｉ、ＩＩは各電池種別間で異なる値であり、またそれぞれに対応する印刷枚数も大きく相違している。このため、使用中の電池ＢＴの種別をあらかじめ印字ラベル作成装置１側で判定し、その種別に対応して電池残量しきい値Ｉ、ＩＩを設定する必要がある。なお、本実施形態における電池種別の判定手法については、特開２０１３−１３２８０２号公報で公知となっている手法を用いるものとし、ここではその詳細についての説明を省略する。
【００４４】
また本実施形態では、上記液晶ディスプレイ５においてその時点の電池ＢＴの消耗状況を表示する。図７（ａ）〜（ｃ）は、液晶ディスプレイ５における電池ＢＴの消耗状況の表示例を表す図である。これら図７（ａ）〜（ｃ）において、液晶ディスプレイ５は、電池形状を模擬した全体図像６１と、この全体図像６１中に占める割合（数）で電池ＢＴの電池残量を表す残量図像６２とを表示する。残量図像６２は、全体図像の外形の中に存在する複数の矩形領域で表され、表示される矩形領域の数が多いほど、電池ＢＴの電池残量が多いことを表す。
【００４５】
図７（ａ）の表示例では、電池ＢＴの消耗度が十分に低い（上記図６に示す電池残量しきい値Ｉ以上に該当する）場合であり、電池残量が大（ほぼ満量）である状態が表示されている。
【００４６】
図７（ｂ）の表示例では、電池ＢＴの消耗度が中程度である（上記図６に示す電池残量しきい値ＩＩ以上、電池残量しきい値Ｉ未満に該当する）場合であり、電池残量が中程度である状態が表示されている。
【００４７】
図７（ｃ）の表示例では、電池ＢＴの消耗度が高い（上記図６に示す電池残量しきい値ＩＩ未満に該当する）場合であり、電池残量が少ない状態が表示されている。
【００４８】
このように充電式の電池ＢＴの消耗状況を図像化して表すことにより、ユーザに対し、当該電池ＢＴの消耗状態を直感的に分かりやすく報知すると共に、その消耗状態の電池ＢＴにおける電池残量も併せて報知することができる。
【００４９】
そして本実施形態では、図８に示す印字態様テーブルに基づき、上述した電池ＢＴの種別と消耗度の段階に応じた印字形態の変更を行う。図８に示す例の印字態様テーブル（図示する例では英字の「Ｈ」を印字文字とした場合）では、使用している電池ＢＴが粗悪アルカリ電池である場合、電池残量が大状態で印字サイズをＬサイズ（デフォルトのサイズ）とし、フォントスタイルを斜体化した印字態様に設定する。また、電池残量が中状態で印字サイズをＭサイズ（デフォルトより小さいサイズ）とし、フォントスタイルを斜体化した印字態様に設定する。また、電池残量が小状態で印字サイズをＳサイズ（Ｍサイズより小さいサイズ）とし、フォントスタイルを斜体化した印字態様に設定する。
【００５０】
また、使用している電池ＢＴがアルカリ電池である場合、電池残量が大状態で印字サイズをＬサイズとし、フォントスタイルをデフォルトの通常体とした印字態様に設定する。また、電池残量が中状態で印字サイズをＬサイズとし、フォントスタイルを斜体化した印字態様に設定する。また、電池残量が小状態で印字サイズをＭサイズとし、フォントスタイルを斜体化した印字態様に設定する。
【００５１】
また、使用している電池ＢＴがニッケル水素電池である場合、電池残量が大状態で印字サイズをＬサイズとし、フォントスタイルを通常体とした印字態様に設定する。また、電池残量が中状態で印字サイズをＭサイズとし、フォントスタイルを通常体とした印字態様に設定する。また、電池残量が小状態で印字サイズをＳサイズとし、フォントスタイルを通常体とした印字態様に設定する。
【００５２】
以上のように印字態様を設定することにより、電池種別毎に異なる給電特性に応じて、電池ＢＴの消耗度が低い（電池残量が大きい）場合には、できるだけ大きいサイズでかつデフォルトの通常体で印字形成することができる。また、電池ＢＴの消耗度が高い（電池残量が小さい）場合には、その程度に応じた小さいサイズでかつ斜体化して印字形成時の電池電圧降下量を抑えることができ、印刷異常を回避できる。また、図８の印字態様テーブルでは示していないが、印字データに含まれる文字が英字である場合に小文字化することによっても最大同時通電数、最大電圧降下量の抑制に有効である。
【００５３】
以上説明した手法を実現するために、ＣＰＵ２１２によって実行される印刷処理の手順を図９に示す。
【００５４】
図９において、例えば操作者が機能キー群４を適宜に操作して印字ラベルＬに印字したい文字や記号等の印字データを入力し、さらに機能キー群４に備えられた上記印刷キーを操作して印字ラベルＬの作成を指示することにより、このフローが開始される。
【００５５】
まず、ステップＳ５で、ＣＰＵ２１２は、その時点で使用している電池ＢＴのバッテリリセット後から初めての制御開始であるか否かを判定する。バッテリリセット後から２回目以降の制御である場合、判定は満たされず（Ｓ５：ＮＯ）、ステップＳ１５に移る。
【００５６】
一方、バッテリリセット後の初回制御である場合、判定が満たされ（Ｓ５：ＹＥＳ）、ステップＳ１０に移る。
【００５７】
ステップＳ１０では、ＣＰＵ２１２は、初期設定として電池残量を大とし、印字態様をデフォルト（Ｌサイズ、通常体）に設定する。
【００５８】
その後ステップＳ１５に移り、ＣＰＵ２１２は、上述した入力済みの印字データを取得する。
【００５９】
その後ステップＳ１００に移り、ＣＰＵ２１２は、その時点で設定されている印字態様で上記ステップＳ１５で取得した印字データを印字形成し印字ラベルＬを作成する印刷処理を実行する（後述の図１０参照）。
【００６０】
その後ステップＳ２０に移り、ＣＰＵ２１２は、上記ステップＳ１００（後述の図１０におけるステップＳ１３０参照）で記憶した出力電圧Ｖｄ（印字時電圧）と通電数Ｄに基づいて電池種別を判別する。なお、この電池種別の判別手法については、上述したように特開２０１３−１３２８０２号公報で公知となっている手法を用いるものとし、ここではその詳細について説明を省略する。
【００６１】
その後ステップＳ２５に移り、ＣＰＵ２１２は、上記ステップＳ２０で判別した電池種別に対応する電池残量しきい値Ｉ、ＩＩを取得する。これは、特に図示しないテーブル等を参照して取得すればよい。
【００６２】
その後ステップＳ３０に移り、ＣＰＵ２１２は、上記ステップＳ１００（後述の図１０におけるステップＳ１４５参照）で記憶したフィード電圧Ｖｆが、上記ステップＳ２５で取得した電池残量しきい値Ｉ以上であるか否かを判定する。フィード電圧Ｖｆが電池残量しきい値Ｉ以上である場合、判定が満たされ（Ｓ３０：ＹＥＳ）、ステップＳ３５へ移る。
【００６３】
ステップＳ３５では、ＣＰＵ２１２は、電池残量を大に設定する。そしてステップＳ５５に移る。
【００６４】
一方、上記ステップＳ３０の判定において、フィード電圧Ｖｆが電池残量しきい値Ｉ未満である場合、判定は満たされず（Ｓ３０：ＮＯ）、ステップＳ４０へ移る。
【００６５】
ステップＳ４０では、ＣＰＵ２１２は、フィード電圧Ｖｆが、上記ステップＳ２５で取得した電池残量しきい値ＩＩ以上であるか否かを判定する。フィード電圧Ｖｆが電池残量しきい値ＩＩ以上である場合、判定が満たされ（Ｓ４０：ＹＥＳ）、ステップＳ４５へ移る。
【００６６】
ステップＳ４５では、ＣＰＵ２１２は、電池残量を中に設定する。そしてステップＳ５５に移る。
【００６７】
一方、上記ステップＳ４０の判定において、フィード電圧Ｖｆが電池残量しきい値ＩＩ未満である場合、判定は満たされず（Ｓ４０：ＮＯ）、ステップＳ５０へ移る。
【００６８】
ステップＳ５０では、ＣＰＵ２１２は、電池残量を小に設定する。そしてステップＳ５５に移る。
【００６９】
ステップＳ５５では、ＣＰＵ２１２は、上記図７に示したように電池残量を液晶ディスプレイ５上に表示する。
【００７０】
その後ステップＳ６０に移り、ＣＰＵ２１２は、上記ステップＳ２０で判別した電池種別と、上記ステップＳ３５、Ｓ４５、Ｓ５０で判定した電池残量に基づいて、上記図８の印字態様テーブルを参照し印字態様を設定する。
【００７１】
その後ステップＳ６５に移り、ＣＰＵ２１２は、上述した入力済みの印字データがまだ残っていて印刷を続行するか否かを判定する。印字データが残っている場合、判定が満たされ（Ｓ６５：ＹＥＳ）、上記ステップＳ１５に戻り同様の手順を繰り返す。
【００７２】
一方、印字データが残っていない場合、判定は満たされず（Ｓ６５：ＮＯ）、このフローを終了する。
【００７３】
なお、上記手順のうちステップＳ２０の手順が各請求項記載の種別判定手段として機能し、ステップＳ２５〜ステップＳ５０の手順が、各請求項記載の消耗判定手段として機能し、ステップＳ６０の手順が各請求項記載の印字態様変更手段として機能する。
【００７４】
次に、上記ステップＳ１００の印刷処理についてその詳細な手順を図１０に示して説明する。
【００７５】
まず、ステップＳ１０５では、ＣＰＵ２１２は、モータ駆動回路２１６に制御信号を出力し、駆動モータ２１１によりテープ送りローラ駆動軸１０８及びリボン巻取りローラ駆動軸１０７を駆動開始する。これにより、カバーフィルム１０３、基材テープ１０１、及び印字済みラベル用テープ１０９（以下適宜、単にカバーフィルム１０３等」という）が搬送開始される。
【００７６】
その後ステップＳ１１０に移り、ＣＰＵ２１２は、搬送されるカバーフィルム１０３等が印字領域Ｓの開始位置まで搬送されたかどうか（印字領域Ｓの前端に印字ヘッド２３が正対する搬送方向位置になるまでカバーフィルム１０３等が搬送されたかどうか）、を判定する。この判定は、例えばステッピングモータからなる駆動モータ２１１のパルス数をカウントする等、公知の適宜の手法により行えば足りる。カバーフィルム１０３等が印字領域Ｓの開始位置まで搬送されるまでステップＳ１１０の判定が満たされず（Ｓ１１０：ＮＯ）、ループ待機する。カバーフィルム１０３等が印字領域Ｓの開始位置まで搬送されたらステップＳ１１０の判定が満たされ（Ｓ１１０：ＹＥＳ）、ステップＳ１１５へ移る。
【００７７】
ステップＳ１１５では、ＣＰＵ２１２は、印字データに基づき、この時点でのタイミングが、サーマルヘッド２３の発熱素子の通電タイミングであるかどうかを判定する。すなわち、上記サーマルヘッド２３に対するカバーフィルム１０３の搬送方向位置が、印字領域Ｓのうち印字データを印字すべき位置にあるか否かを判定する。通電タイミングでない場合、判定は満たされず（Ｓ１１５：ＮＯ）、ステップＳ１２０へ移る。
【００７８】
ステップＳ１２０では、ＣＰＵ２１２は、サーマルヘッド制御回路２１７に制御信号を出力し、サーマルヘッド２３のすべての発熱素子を通電停止状態とする。その後、ステップＳ１３５に移る。
【００７９】
一方、上記ステップＳ１１５の判定において通電タイミングである場合、判定が満たされ（Ｓ１１５：ＹＥＳ）、ステップＳ１２５へ移る。
【００８０】
ステップＳ１２５では、ＣＰＵ２１２は、サーマルヘッド制御回路２１７に制御信号を出力し、その時点のサーマルヘッド２３に対するカバーフィルム１０３の搬送方向位置に対応した印字データの同時通電数及び配置で発熱素子を通電する。これにより、カバーフィルム１０３に、上記通電された発熱素子によりインクリボン１０５のインクが転写され、対応した印字が形成される。
【００８１】
その後ステップＳ１３０に移り、ＣＰＵ２１２は、上記ステップＳ１２５での通電時においてＡ／Ｄ入力回路２１９により検出された出力電圧値Ｖとこのときの上記発熱素子の通電数Ｄとを、例えばＲＡＭ２１３に記憶する。なお、この出力電圧値Ｖは、１枚の印字ラベルＬを作成する際にこのステップＳ１３０が繰り返されるたびに検出される。すなわち、印字ラベルＬの生成動作に伴って前述した印字ラインが移動する際、印字ライン上における通電数Ｄに対応付けられた形で出力電圧値Ｖが常時検出され、ＲＡＭ２１３に蓄積されていく。その後、ステップＳ１３５に移る。
【００８２】
ステップＳ１３５では、ＣＰＵ２１２は、搬送されるカバーフィルム１０３等が印字領域Ｓの終了位置まで搬送されたかどうか（印字領域Ｓの後端にサーマルヘッド２３が正対する搬送方向位置になるまでカバーフィルム１０３等が搬送されたかどうか）、を判定する。カバーフィルム１０３等が印字領域Ｓの終了位置まで搬送されていない場合、判定は満たされず（Ｓ１３５：ＮＯ）、ステップＳ１１５へ戻り同様の手順を繰り返す。
【００８３】
一方、カバーフィルム１０３等が印字領域Ｓの終了位置まで搬送された場合、判定が満たされ（Ｓ１３５：ＹＥＳ）、ステップＳ１４０へ移る。
【００８４】
ステップＳ１４０では、ＣＰＵ２１２は、搬送されるカバーフィルム１０３等が、上記印字データに基づき印字領域Ｓよりラベル後端側に設定される切断位置まで搬送されたかどうか（上記切断位置に上記可動刃４１が正対する搬送方向位置になるまで、印字済みラベル用テープ１０９が搬送されたかどうか）、を判定する。この判定も、前述と同様の公知の手法により行えば足りる。切断位置まで搬送されていなければ、ステップＳ１４０の判定が満たされず（Ｓ１４０：ＮＯ）、ループ待機する。カバーフィルム１０３等が切断位置まで搬送されたらステップＳ１４０の判定が満たされ（Ｓ１４０：ＹＥＳ）、ステップＳ１４５に移る。
【００８５】
ステップＳ１４５では、ＣＰＵ２１２は、この時点でＡ／Ｄ入力回路２１９により検出されるフィード電圧Ｖｆを例えばＲＡＭ２１３に記憶する。
【００８６】
その後ステップＳ１５０に移り、ＣＰＵ２１２は、モータ駆動回路２１６に制御信号を出力し、駆動モータ２１１によるテープ送りローラ駆動軸１０８及びリボン巻取りローラ駆動軸１０７の駆動を停止する。これにより、カバーフィルム１０３、基材テープ１０１、及び印字済みラベル用テープ１０９の搬送が停止する。その後、ステップＳ１５５に移る。
【００８７】
ステップＳ１５５では、ＣＰＵ２１２は、液晶ディスプレイ５に表示信号を出力する。これにより、操作者に対し、カッターレバー７を操作し切断機構１５を動作させ印字済みラベル用テープ１０９を切断するよう促す、適宜の表示が行われる。
【００８８】
その後、上記ステップＳ１５５での表示に対応した上記印字済みラベル用テープ１０９の切断が行われたら（＝印字ラベルＬが生成されたら）、ステップＳ１６０に移り、ＣＰＵ２１２は、モータ駆動回路２１６に制御信号を出力する。これにより、駆動モータ２１１により、テープ送りローラ駆動軸１０８及びリボン巻取りローラ駆動軸１０７が再び駆動開始され、カバーフィルム１０３、基材テープ１０１、及び印字済みラベル用テープ１０９の搬送が再開される。
【００８９】
そして、ステップＳ１６５で、ＣＰＵ２１２は、上記ステップＳ１６０の搬送再開後、予め定めた所定の搬送量（上記生成された印字ラベルＬを装置外へ排出するのに十分な距離）だけカバーフィルム１０３等の搬送が行われたかどうかを判定する。この判定も、前述と同様、公知の手法により行えば足りる。所定の搬送量だけ搬送されていなければステップＳ１６５の判定が満たされず（Ｓ１６５：ＮＯ）、ループ待機する。所定の搬送量だけ搬送されたらステップＳ１６５の判定が満たされ（Ｓ１６５：ＹＥＳ）、ステップＳ１７０に移る。
【００９０】
ステップＳ１７０では、ステップＳ１５０と同様、ＣＰＵ２１２は、モータ駆動回路２１６に制御信号を出力し、駆動モータ２１１によるテープ送りローラ駆動軸１０８及びリボン巻取りローラ駆動軸１０７の駆動を停止する。これにより、カバーフィルム１０３、基材テープ１０１、及び印字済みラベル用テープ１０９の搬送が停止する。この後、このフローを終了する。
【００９１】
以上において、ステップＳ１００の制御手順が、各請求項記載の連携制御手段として機能する。
【００９２】
以上説明したように、本実施形態の印字ラベル作成装置１では、ステップＳ２５〜ステップＳ５０の手順で電池ＢＴの消耗程度を判定し、この消耗程度に基づいてステップＳ６０の手順で印字形成の態様を変更する。つまり、印字データ中のテキスト文字については、印字内容の文字の意味合いを実質的に変えることなくその印字態様を変更することで、印刷処理中の負荷時における一時的な電池電圧降下量を低減できる場合がある。このため、判定した電池ＢＴの消耗程度に応じて電圧降下量の少ない印字態様に変更することで、印刷異常の発生をできるだけ抑えることができる。すなわち、一時的な電池電圧降下量を抑えて、電池残量に相当する電圧が上記バッテリーウィークしきい値電圧Ｖｂｗに近づくまで印刷処理を繰り返し行うことができる。以上の結果、電池ＢＴの消耗程度に適切に対応して電池ＢＴの残電力を使い切ることができる。
【００９３】
また、本実施形態では特に、印字形成中において検出した出力電圧値を用いて電池ＢＴの消耗程度を判定するため、電池ＢＴに負荷が付加されている状態での消耗度を判定できる。特に、印字形成中のステップＳ１４５で検出したフィード電圧Ｖｆに基づいて電池ＢＴの消耗程度を判定するため、印刷枚数の増加に伴う長期的な低下変動に対応した電池残量の段階的な消耗程度の判定を高い精度で行うことができる。
【００９４】
また、本実施形態では特に、印字形成中のステップＳ１３０で検出した出力電圧値Ｖｄを用いて、ステップＳ２０により電池ＢＴの種別を判定する。そして、判定された上記消耗程度と上記電池種別に基づいて、ステップＳ６０で印字態様を変更する。これにより、電池種別毎に異なる給電特性に応じて、電池ＢＴの消耗度が低い（電池残量が大きい）場合には、できるだけ通常に近い印字態様で印字形成することができる。また、電池ＢＴの消耗度が高い（電池残量が小さい）場合には、その程度に応じた印字態様で印字形成時の電池電圧降下量を抑えることができ、印刷異常を回避できる。
【００９５】
また、本実施形態では特に、印字態様として、印字サイズ、英字の大文字・小文字、フォント種類の少なくとも１つを変更する。これにより、印字内容の文字の意味合いを実質的に変えることなく最大同時通電数を低減でき、最低印字時電圧をバッテリーウィークしきい値電圧Ｖｂｗより高く維持させてより多くの印刷処理を繰り返し行うことができる。
【００９６】
さらに、以上では、印刷装置の一例として印字ラベル作成装置１に本発明を適用した場合を説明したが、その他にも、例えばＡ４、Ａ３、Ｂ４、Ｂ５サイズ等の通常の被印刷用紙（被印刷物）に画像を形成したり文字を印刷する印刷装置に本発明を適用してもよい。この場合も同様の効果を得る。
【００９７】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００９８】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
但し、例えばしきい値や基準値等、所定の判定基準となる値あるいは区切りとなる値の記載がある場合は、それらに対しての「同一」「等しい」「異なる」等は、上記とは異なり、厳密な意味である。
【００９９】
なお、以上において、図４等の各図中に示す矢印は信号の流れの一例を示すものであり、信号の流れ方向を限定するものではない。
【０１００】
また、図９、図１０等に示すフローチャートは本発明を上記フローに示す手順に限定するものではなく、発明の趣旨及び技術的思想を逸脱しない範囲内で手順の追加・削除又は順番の変更等をしてもよい。
【０１０１】
また、以上既に述べた以外にも、上記実施形態や各変形例による手法を適宜組み合わせて利用しても良い。
【０１０２】
その他、一々例示はしないが、本発明は、その趣旨を逸脱しない範囲内において、種々の変更が加えられて実施されるものである。
【符号の説明】
【０１０３】
１                印字ラベル作成装置（印刷装置）
２３              サーマルヘッド（印字手段）
７０              電池収納部
１０８            テープ送りローラ駆動軸（搬送手段）
２１６            モータ駆動回路（駆動手段）
２１７            サーマルヘッド制御回路（通電手段）
２１９            Ａ／Ｄ入力回路（電圧検出手段）
ＢＴ              電池
Ｌ                印字ラベル（印刷物）
【図１】
2016182708.tif 000003
【図２】
2016182708.tif 000004
【図３】
2016182708.tif 000005
【図４】
2016182708.tif 000006
【図５】
2016182708.tif 000007
【図６】
2016182708.tif 000008
【図７】
2016182708.tif 000009
【図８】
2016182708.tif 000010
【図９】
2016182708.tif 000011
【図１０】
2016182708.tif 000012